(57)【要約】【課題】  挿入口カバーが閉姿勢のままで透過原稿が排出されることによる原稿詰まりを防止する透過原稿搬送装置及びそれを備えた画像読み取り装置を提供する。【解決手段】  本発明に係る透過原稿搬送装置は、画像読み取り装置の原稿読み取り領域に透過原稿を搬送するための透過原稿搬送装置であって、透過原稿が挿入される挿入口と、透過原稿を排出する指示を受け付ける操作部と、前記挿入口から挿入された透過原稿を前記原稿読み取り領域に搬送し、前記操作部で前記指示を受け付けると前記透過原稿を前記挿入口から排出する搬送部と、前記挿入口を閉塞する閉姿勢と開放する開姿勢とに揺動可能で、閉姿勢になると前記操作部を操作不能に覆い、開姿勢になると前記操作部を操作可能に開放する挿入口カバーと、を備える。【選択図】    図１
2006086593.tif 000002
【特許請求の範囲】
【請求項１】
画像読み取り装置の原稿読み取り領域に透過原稿を搬送するための透過原稿搬送装置であって、
透過原稿が挿入される挿入口と、
透過原稿を排出する指示を受け付ける操作部と、
前記挿入口から挿入された透過原稿を前記原稿読み取り領域に搬送し、前記操作部で前記指示を受け付けると前記透過原稿を前記挿入口から排出する搬送部と、
前記挿入口を閉塞する閉姿勢と開放する開姿勢とに揺動可能で、閉姿勢になると前記操作部を操作不能に覆い、開姿勢になると前記操作部を操作可能に開放する挿入口カバーと、
を備えることを特徴とする透過原稿搬送装置。
【請求項２】
請求項１に記載の透過原稿搬送装置と、
前記透過原稿搬送装置によって前記原稿読み取り領域に搬送された透過原稿を読み取るイメージセンサと、
を備えることを特徴とする画像読み取り装置。
【請求項３】
反射原稿が載置される原稿台を備え、
前記透過原稿搬送装置は、前記原稿台の盤面を覆う姿勢と開放する姿勢とに揺動自在に当該画像読み取り装置本体に連結されることを特徴とする請求項２に記載の画像読み取り装置。
【発明の詳細な説明】
【技術分野】
【０００１】
本発明は透過原稿搬送装置及びそれを用いた画像読み取り装置に関する。
【背景技術】
【０００２】
一般に、ストリップフィルムやマウントフィルムなどのフィルムを読み取るフィルムスキャナでは、フィルムを搬送用ホルダに保持して原稿読み取り領域まで搬送している。
特許文献１、２には、搬送用ホルダでフィルムを保持せず、挿入口から挿入されたフィルムをそのまま搬送する透過原稿搬送装置を備えた画像読み取り装置が開示されている。
【０００３】
ところで、挿入口からフィルムを挿入する場合、挿入口が常に開いたままであると塵埃が透過原稿搬送装置内に入り込み故障の原因になる畏れがある。挿入口を閉塞する閉姿勢と開放する開姿勢とに揺動可能な挿入口カバーを設けると、挿入口カバーを閉姿勢にしておくことで挿入口から塵埃が透過原稿搬送装置内に入り込むことを防止できる。
【０００４】
【特許文献１】特開平１１−９８３１０号公報
【特許文献２】特開２００１−３５８８７５号公報
【発明の開示】
【発明が解決しようとする課題】
【０００５】
しかしながら、挿入口から挿入されたフィルムをそのまま搬送する透過原稿搬送装置の場合、挿入口カバーを設けると、フィルムを排出するときに原稿詰まりが発生する畏れがある。具体的には、挿入口カバーを開姿勢にするのを忘れて閉姿勢のままで排紙が指示されることにより、原稿読み取り領域から挿入口まで搬送されてきたフィルムが挿入口カバーに当たって行き場を失い、透過原稿搬送装置内で複雑に折れ曲がって詰まってしまう畏れがある。搬送用ホルダでフィルムを保持して搬送する場合であれば搬送用ホルダが挿入口カバーを押し開けることで原稿詰まりを防止できるが、フィルムの場合は挿入口カバーを押し開けることはできないため原稿詰まりになってしまう。
【０００６】
本発明はかかる問題に鑑みて創作されたものであって、挿入口カバーが閉姿勢のままで透過原稿が排出されることによる原稿詰まりを防止する透過原稿搬送装置及びそれを備えた画像読み取り装置を提供することにある。
【課題を解決するための手段】
【０００７】
上記目的を達成するため、本発明に係る透過原稿搬送装置は、画像読み取り装置の原稿読み取り領域に透過原稿を搬送するための透過原稿搬送装置であって、透過原稿が挿入される挿入口と、透過原稿を排出する指示を受け付ける操作部と、前記挿入口から挿入された透過原稿を前記原稿読み取り領域に搬送し、前記操作部で前記指示を受け付けると前記透過原稿を前記挿入口から排出する搬送部と、前記挿入口を閉塞する閉姿勢と開放する開姿勢とに揺動可能で、閉姿勢になると前記操作部を操作不能に覆い、開姿勢になると前記操作部を操作可能に開放する挿入口カバーと、を備える。この透過原稿搬送装置によると、透過原稿を排紙するためには操作部を操作しなければならない。操作部は挿入口カバーが閉姿勢のときは挿入口カバーに覆われて操作不能であるため、操作部を操作するためには挿入口カバーを開姿勢にしなければならない。すなわち、透過原稿を排出するためには、ユーザは必ず挿入口カバーを開姿勢にしなければならない。従って、挿入口カバーが閉姿勢のままで透過原稿が排出されることによる原稿詰まりを防止できる。
【０００８】
上記目的を達成するため、本発明に係る画像読み取り装置は、請求項１に記載の透過原稿搬送装置と、前記透過原稿搬送装置によって前記原稿読み取り領域に搬送された透過原稿を読み取るイメージセンサと、を備える。この画像読み取り装置によると、挿入口カバーが閉姿勢のままで透過原稿が排出されることによる原稿詰まりを防止できる。
さらに本発明に係る画像読み取り装置では、反射原稿が載置される原稿台を備え、前記透過原稿搬送装置は、前記原稿台の盤面を覆う姿勢と開放する姿勢とに揺動自在に当該画像読み取り装置本体に連結される。この画像読み取り装置によると、透過原稿搬送装置を原稿カバーとしても用いることができる。
【発明を実施するための最良の形態】
【０００９】
以下、本発明を実施するための最良の形態を実施例に基づいて説明する。
図２は、本発明の一実施例に係る画像読み取り装置としてのイメージスキャナ１の内部構造を示す断面図である。イメージスキャナ１は、原稿台２４に載置された原稿を読み取る所謂フラットベッド型であり、透過原稿搬送装置１７を備えている。
【００１０】
原稿台２４はガラス板等の透明板で形成され、その盤面上に印刷文書、写真、書籍等の原稿が載置される。
キャリッジ４２は、原稿台２４の盤面に対し平行なガイドロッド４６に摺動自在に嵌合している。キャリッジ４２は第二光源３４、ミラー３２、レンズ３６、及びイメージセンサ３８を搭載している。キャリッジ４２は図示しないキャリッジ搬送用モータによって駆動されるプーリに掛けられたベルトに牽引され、原稿台２４の盤面と平行に矢印Ｘ、Ｙの方向に往復移動する。第二光源３４、ミラー３２、レンズ３６、及びイメージセンサ３８がキャリッジ４２によって原稿台２４の盤面と平行な矢印Ｘ、Ｙの方向に運搬されると、原稿を読み取る狭幅な主走査範囲がその幅方向に移動する。
【００１１】
尚、画像読み取り装置は、原稿台２４に対してイメージセンサ及びレンズの位置を固定し、複数のミラーを連動して移動させることによって主走査範囲をその幅方向に移動させるミラー移動型でもよいし、縮小光学系の代わりにロッドレンズアレイを用いた密着型イメージセンサを用いてもよい。
第二光源３４は、例えばキセノン、ネオン等の希ガスや水銀を封入した蛍光管ランプ等の管照明装置から構成されている。第二光源３４はその長手方向軸線がガイドロッド４６の長手方向軸線と垂直で原稿台２４に平行な方向に延びるようにキャリッジ４２に搭載されている。第二光源３４に照射された反射原稿の主走査範囲上の反射光は、ミラー３２で反射してレンズ３６に入射し、レンズ３６によってイメージセンサ３８の受光面に集光される。
【００１２】
第一光源ユニット２１は、透過原稿搬送装置１７のハウジング５１内に設けられ、第一光源２０、リフレクタ１８及び拡散板２２で構成されている。第一光源２０も蛍光管ランプ等の管照明装置から構成されている。第一光源２０はその長手方向軸線がガイドロッド４６の長手方向軸線と平行に延びるように設けられている。主走査範囲はその中央が第一光源２０の真下に位置するように設定されている。リフレクタ１８は第一光源２０の原稿台２４と反対側に設けられている。拡散板２２は第一光源２０の原稿台２４と同じ側に設けられている。第一光源２０から放射された光は、リフレクタ１８で反射し、拡散板２２によって拡散され、透過原稿としての３５ｍｍのストリップフィルム（以下「フィルム」という。）の読み取り対象のコマが読み取り時に位置決めされる原稿読み取り領域ＳＳ（図８参照）や白基準読み取り領域などを均一な照度で照明する。
【００１３】
イメージセンサ３８は、フォトダイオード等で構成される図示しない光電変換素子が直線的に多数配列された所謂リニアイメージセンサである。イメージセンサ３８は多数の光電変換素子が管状の第二光源３４の中心軸線と平行に並ぶ姿勢でキャリッジ４２に搭載されている。イメージセンサ３８の各光電変換素子には受光量に応じた電荷が光電変換により蓄積される。各光電変換素子に蓄積された電荷は、ＣＣＤ（Charge Coupled Device）等によってイメージセンサ３８の出力部に転送される。イメージセンサ３８から出力されるアナログ信号は、図示しないＡ／Ｄ変換器によってディジタル信号に変換されてＡ／Ｄ変換器から出力される。
【００１４】
次に、透過原稿搬送装置１７について説明する。
図３及び図１は、透過原稿搬送装置１７の外観を示す平面図である。図４は透過原稿搬送装置１７の外観を示す正面図である。図３に示す透過原稿搬送装置１７は挿入口カバー１２が閉姿勢の状態を示している。図１及び図４に示す透過原稿搬送装置１７は挿入口カバー１２が開姿勢の状態を示している。図１に示すように透過原稿搬送装置１７のハウジング５１にはフィルムを挿入するための挿入口１４が設けられている。挿入口カバー１２は挿入口１４からハウジング５１内に埃や塵などが入り込むことを防止するためのものであり、挿入口１４を閉塞する閉姿勢と開放する開姿勢とに揺動可能にハウジング５１に連結されている。本実施例の挿入口カバー１２には棒状の部材を折り曲げて形成された支持部材６５が設けられている。支持部材６５は挿入口１４に挿入されるフィルムを支持するためのものである。
【００１５】
図５は、透過原稿搬送装置１７の裏側を示す斜視図である。透過原稿搬送装置１７はヒンジ６６によってイメージスキャナ１本体に揺動自在に連結される。透過原稿搬送装置１７が全閉姿勢になると、原稿台２４は透過原稿搬送装置１７によって覆われる。透過原稿搬送装置１７の下部には原稿マット５２が脱着自在に設けられている。原稿マット５２は反射原稿を読み取るときに装着され、フィルムを読み取るときに取り外される。
【００１６】
図６は、挿入口カバー１２が開姿勢にあるときの挿入口１４周辺の斜視図である。挿入口１４の周囲には操作部としての排紙ボタン５３が設けられている。排紙ボタン５３は挿入口１４から挿入されたフィルムを排出する指示を受け付ける押しボタンである。挿入口カバー１２は挿入口１４よりも大きく形成されており、挿入口カバー１２が閉姿勢になると挿入口１４と排紙ボタン５３とは図３に示すように挿入口カバー１２によって覆われる。ユーザは挿入口１４からフィルムを挿入するときは挿入口カバー１２を開姿勢にする。挿入口カバー１２を開姿勢にすると図６に示すように排紙ボタン５３が開放され、これにより排紙ボタン５３の押下が可能になる。逆に、挿入口カバー１２を閉姿勢にすると図３に示すように排紙ボタン５３が挿入口カバー１２に覆われ、これにより排紙ボタン５３の押下が不可能になる。このため、フィルムを挿入した後で挿入口カバー１２を閉姿勢にしたとすると、ユーザは排紙ボタン５３を押下するには挿入口カバー１２を開姿勢にしなければならない。すなわち、フィルムを排出するためには、ユーザは必ず挿入口カバー１２を開姿勢にしなければならない。
【００１７】
図７は、挿入口カバー１２が開姿勢にあるときの透過原稿搬送装置１７の断面図である。挿入口カバー１２は外部材１２ａと内部材１２ｂとで構成されており、内部材１２ｂにはガイド５５が形成されている。フィルムＭは幅方向の両端をガイド５５に案内されて挿入口１４から挿入される。フィルムＭが長い場合、ガイド５５に乗り切らない部分は支持部材６５に当接して支持される。
【００１８】
図８は透過原稿搬送装置１７の内部構造を示す断面図であり、図９は後述するレール部材２６を下から見た模式図である。透過原稿搬送装置１７はハウジング５１内に導入部５４、レール部材２６、搬送機構５７などを有している。挿入口１４から挿入されたフィルムはレール部材２６と押さえ部材２５との間隙によって形成されている導入部５４を通過して搬送機構５７に到達する。
【００１９】
図９に示すようにレール部材２６には原稿読み取り領域ＳＳに対応する開口部５８が形成されている。開口部５８はイメージセンサ３８の主走査範囲のほぼ中央に位置している。レール部材２６には第一レール８４と第二レール８０とが互いに平行に形成されている。開口部５８は図８において第一レール８４より紙面奥側に位置し、第二レール８０は開口部５８より更に紙面奥側に位置している。第一レール８４と第二レール８０との間隔は、フィルムの画像記録領域に接触しないようにフィルムの画像記録領域の幅２４ｍｍより広くなっている。第一レール８４及び第二レール８０は、両端部から中央に向かって降下し中間部が平坦である。透過原稿搬送装置１７から原稿マット５２を取り外すと、透過原稿搬送装置１７の重さによってレール部材２６の下面４０が原稿台２４の盤面に圧接する。
【００２０】
図１０は、搬送機構５７を下側から見た斜視図である。搬送機構５７は、プーリ対、ベルト、板ばね、図示しない透過原稿搬送用モータ、複数のポジションセンサなどを備える。第一ベルト１６は第一プーリ対としてのプーリ３０とプーリ４４とに架け渡されている。第二ベルト７０は第二プーリ対としてのプーリ６４とプーリ７６とに架け渡されている。プーリ４４とプーリ７６とが固定された原動シャフト７８と、プーリ３０とプーリ６４とが固定された従動シャフト６２とは、板金フレーム１５に回転自在に支持されている。透過原稿搬送用モータは図示しない歯車列によって原動シャフト７８にトルクを伝達する。従動シャフト６２の一端部には、第一ベルト１６及び第二ベルト７０を手動回転させるためのノブ６０が固定されている。
【００２１】
図１１は、プーリ３０周辺を拡大して示す断面図である。第一板ばね２８は、第一レール８４の上に載置されている。第二板ばねは、第二レール８０の上に載置されている。第一板ばね２８は両端部近傍が図１１に示すように第一レール８４の中間部から離間するように湾曲している。第二板ばねは第一板ばね２８と同一の形状であって、両端部近傍が第二レール８０の中間部から離間するように湾曲している。第一板ばね２８と第二板ばねとには、レール部材２６とは逆側の面に摺動シート５９が貼り付けられている。第一ベルト１６は、図１１に示すように第一レール８４の上に第一板ばね２８を押し潰すように設置される。第二ベルト７０は、第二レール８０の上に第二板ばねを押し潰すように設置される。第一ベルト１６及び第二ベルト７０が第一板ばね２８及び第二板ばねを押し潰すように設置すると、第一板ばね２８の挿入口１４側の端部と第二板ばねの挿入口１４側の端部とはそれぞれ第一ベルト１６、第二ベルト７０の挿入口１４側の端部に圧接する。また、第一板ばね２８の反挿入口１４側の端部と第二板ばねの反挿入口１４側の端部はそれぞれ第一ベルト１６、第二ベルト７０の反挿入口１４側の端部に圧接する。
【００２２】
複数のポジションセンサは、フィルムの位置を検出し、フィルムを原稿読み取り領域ＳＳ上に位置決めするために設けられている。ポジションセンサの一つは、挿入口１４から挿入されたフィルムの前端がレール部材２６に案内されて搬送経路の導入部５４の挿入検出位置ＳＰ（図２参照）に到達すると反応する位置、具体的には図２において破線で示す位置６１に設けられている。
【００２３】
図１２は、イメージスキャナ１のハードウェア構成を示すブロック図である。
イメージスキャナ１は、制御部１２６、スキャナ操作部１２０、第一照明部１１０、第二照明部１１２、イメージセンサ３８、主走査駆動部１１４、搬送部５６、キャリッジ搬送部１１８、アナログフロントエンド（ＡＦＥ）部１２２、ディジタル画像処理部１２４、及びインターフェース１２８を備えている。イメージスキャナ１はインターフェース１２８を介して通信線、例えばＵＳＢ（Universal Serial Bus）ケーブルでパーソナルコンピュータ（ＰＣ）１３０などに接続される。
【００２４】
制御部１２６は、ＣＰＵ１２６２、ＲＯＭ１２６０、及びＲＡＭ１２６４を備える。ＣＰＵ１２６２はＲＯＭ１２６０に記憶されているプログラムを実行してイメージスキャナ１の各部を制御し、原稿読み取り領域ＳＳに搬送されたフィルムや原稿台２４に載置された反射原稿を読み取らせる。ＲＯＭ１２６０は各種プログラム、各種データなどを記憶する不揮発性のメモリであり、ＲＡＭ１２６４は各種プログラム、各種データなどを一時的に記憶するメモリである。
【００２５】
スキャナ操作部１２０は、イメージスキャナ１に対するユーザの操作を受け付け、所定の要求信号を制御部１２６に送信する。例えば、スキャナ操作部１２０は後述するＰＣ１３０のハードディスク（ＨＤＤ）に記憶されているスキャナ制御用プログラムを起動するためのボタンを備え、ユーザがボタンを押下すると上述のスキャナ制御用プログラムの起動を要求する信号が制御部１２６に送信される。
【００２６】
第一照明部１１０は上述の第一光源２０、図示しない第一光源用インバータ回路、第一照明部用制御回路等から構成される。第一照明部用制御回路は制御部１２６から送信される第一照明部制御信号を受信し、第一光源２０の点灯、消灯を制御する。第二照明部１１２は上述の第二光源３４、図示しない第二光源用インバータ回路、第二照明部用制御回路等から構成される。第二照明部用制御回路は制御部１２６から送信される第二照明部制御信号を受信し、第二光源３４の点灯、消灯を制御する。
【００２７】
主走査駆動部１１４はイメージセンサ３８を駆動するために必要な駆動パルスをイメージセンサ３８に出力する駆動回路であり、例えば同期信号発生器、駆動用タイミングジェネレータ等から構成される。
搬送部５６は、レール部材２６、搬送機構５７、図示しない透過原稿搬送用モータ駆動回路、搬送部制御用回路等から構成される。搬送部用制御回路は、制御部１２６から送信される透過原稿搬送制御信号を受信し、透過原稿搬送用モータの回転方向、回転速度等を制御する。
【００２８】
キャリッジ搬送部１１８は、上述の図示しないキャリッジ搬送用モータ、キャリッジ搬送用モータ駆動回路、キャリッジ駆動部用制御回路等から構成される。キャリッジ駆動部用制御回路は、制御部１２６から送信されるキャリッジ搬送制御信号を受信し、キャリッジ搬送用モータの回転方向、回転速度等を制御する。
アナログフロントエンド（ＡＦＥ）部１２２は、アナログ信号処理部、Ａ／Ｄ変換器等から構成される。アナログ信号処理部は、イメージセンサ３８から出力されたアナログ画像信号に対して、増幅、雑音低減処理等を施す。Ａ／Ｄ変換器はアナログ信号処理部から出力されたアナログ信号を量子化し、所定ビット長のディジタル表現の画素値をイメージセンサ３８の光電変換素子毎に出力する。
ディジタル画像処理部１２４は、ＡＦＥ部１２２から出力された画素値に対し、シェーディング補正、ガンマ補正等の処理を行ってディジタル画像データを生成する。
【００２９】
次に、フィルムを原稿読み取り領域に搬送する動作について説明する。
図１３は、フィルムを原稿読み取り領域に搬送する動作のフローチャートである。以下の説明において、挿入口１４からフィルムを挿入するときにフィルムが進む方向（図２のＹ方向）を前方、その反対方向（図２のＸ方向）を後方というものとする。また、フィルムの前方側の端部をフィルムの前端といい、フィルムの後方側の端部をフィルムの後端というものとする。図１３に示す動作は、挿入口１４から挿入されたフィルムが挿入検出位置ＳＰ（図２参照）に到達すると開始される。
【００３０】
Ｓ１１では、ポジションセンサは、挿入されたフィルムの前端がＳＰに到達したことを感知し、制御部１２６にステップＳ１２の要求信号を送信する。
Ｓ１２では、制御部１２６はポジションセンサからステップＳ１２の要求信号を受け付け、挿入されたフィルムを前方に搬送する指示を搬送部５６に対して行う。すると、搬送部５６は透過原稿搬送用モータを回転させる。フィルムが第一ベルト１６と第二ベルト７０の挿入口１４側の端部に到達すると、透過原稿搬送用モータによって駆動されている第一ベルト１６と第二ベルト７０とによってフィルムを原稿読み取り領域ＳＳに搬送する。制御部１２６はポジションセンサでフィルムの位置を検出し、検出した位置に応じて透過原稿搬送用モータを制御してフィルムを原稿読み取り領域ＳＳ上に位置決めする。
【００３１】
次に、フィルムの排出について説明する。
フィルムの排出は、排紙ボタン５３が押下されると開始される。排紙ボタン５３が押下されると、制御部１２６は挿入されたフィルムを排出する指示を搬送部５６に対して行う。搬送部５６は、制御部１２６の指示により透過原稿搬送用モータを逆回転させてフィルムを挿入口１４側に搬送する。これによりフィルムの後端側が挿入口１４から排出される。フィルムの後端側が挿入口１４から排出されると、ユーザは後端側を手で持って引き出すことでフィルム全体を挿入口１４から取り出すことができる。
【００３２】
以上説明した本発明の一実施例に係るイメージスキャナ１によると、フィルムを排紙するためには排紙ボタン５３を押下しなければならない。排紙ボタン５３は挿入口カバー１２が閉姿勢のときは挿入口カバー１２に覆われて押下不能であるため、排紙ボタン５３を押下するためには挿入口カバー１２を開姿勢にしなければならない。すなわち、フィルムを排出するためには、ユーザは必ず挿入口カバー１２を開姿勢にしなければならない。従って、挿入口カバー１２が閉姿勢のままでフィルムが排出されることによる原稿詰まりを防止できる。
【００３３】
なお、本実施例では透過原稿搬送装置１７で原稿台２４を覆うことができるようにするために透過原稿搬送装置１７のハウジング５１をイメージスキャナ１本体から分離してイメージスキャナ１本体に揺動可能に連結しているが、例えば透過原稿専用のイメージスキャナの場合は原稿台を覆う必要がないので透過原稿搬送装置のハウジングをイメージスキャナ本体と一体化してもよい。
また、本実施例では透過原稿としてストリップフィルムを例に説明したが、透過原稿はストリップフィルムに限られるものではなく、例えばマウントフィルムであってもよい。
【図面の簡単な説明】
【００３４】
【図１】本発明の一実施例に係る透過原稿搬送装置の外観を示す平面図。
【図２】本発明の一実施例に係る画像読み取り装置の内部構造を示す断面図。
【図３】本発明の一実施例に係る透過原稿搬送装置の外観を示す平面図。
【図４】本発明の一実施例に係る透過原稿搬送装置の外観を示す正面図。
【図５】本発明の一実施例に係る透過原稿搬送装置の裏側を示す斜視図。
【図６】本発明の一実施例に係る透過原稿搬送装置の挿入口周辺の斜視図。
【図７】本発明の一実施例に係る透過原稿搬送装置の挿入口周辺の断面図。
【図８】本発明の一実施例に係る透過原稿搬送装置の内部構造を示す断面図。
【図９】本発明の一実施例に係るレール部材を下から見た模式図。
【図１０】本発明の一実施例に係る搬送部を下側から見た斜視図。
【図１１】本発明の一実施例に係る搬送部の断面図。
【図１２】本発明の一実施例に係る画像読み取り装置のブロック図。
【図１３】本発明の一実施例に係るフローチャート。
【符号の説明】
【００３５】
１  イメージスキャナ（画像読み取り装置）、１２  挿入口カバー、１４  挿入口、２４  原稿台、５３  排紙ボタン（操作部）、１７  透過原稿搬送装置、３８  イメージセンサ、５６  搬送部
【図１】
2006086593.tif 000003
【図２】
2006086593.tif 000004
【図３】
2006086593.tif 000005
【図４】
2006086593.tif 000006
【図５】
2006086593.tif 000007
【図６】
2006086593.tif 000008
【図７】
2006086593.tif 000009
【図８】
2006086593.tif 000010
【図９】
2006086593.tif 000011
【図１０】
2006086593.tif 000012
【図１１】
2006086593.tif 000013
【図１２】
2006086593.tif 000014
【図１３】
2006086593.tif 000015